(57)【要約】      （修正有）【課題】バッグ等に収納し携行できると共に車に積み込んで簡単に持ち運びでき、アウトドアでもインドアでも使用することができる組立型椅子を提供する。【解決手段】組立型椅子１は、第１部品４と、第２部品７と、第３部品１０とを有し、２本の第１支柱部材２は、第１接地部１１を備え、複数本の第１架け渡し部材３は、背もたれ部１２と、第１荷重受け部１３とを含み、２本の第２支柱部材５は、第２接地部１４と、軸支部１６とを備え、複数本の第２架け渡し部材６は、第２荷重受け部１７を含み、２本の第３支柱部材８は、突出部１８と、他端接触部１９と、中間接触部２０とを備え、複数本の第３架け渡し部材９は、利用者が着座する着座面を構成する複数の水平部２１を含む。【選択図】図１
0003232389.tif 000002
【実用新案登録請求の範囲】
【請求項１】
互いに平行に配置された２本の第１支柱部材、及び、それら２本の第１支柱部材の間に架け渡すように配置された複数本の第１架け渡し部材、を備えた第１部品と、
互いに平行に配置された２本の第２支柱部材、及び、それら２本の第２支柱部材の間に架け渡すように配置された複数本の第２架け渡し部材、を備えた第２部品と、
互いに平行に配置された２本の第３支柱部材、及び、それら２本の第３支柱部材の間に架け渡すように配置された複数本の第３架け渡し部材、を備えた第３部品と、
を有し、
前記２本の第１支柱部材は、
長手方向一端部に位置し設置面に接する第１接地部を備え、
前記複数本の第１架け渡し部材は、
前記２本の第１支柱部材の長手方向他端部近傍に架け渡された背もたれ部と、
前記２本の第１支柱部材の長手方向中間部に架け渡された第１荷重受け部と、
を含み、
前記２本の第２支柱部材は、
長手方向一端部に位置し前記設置面に接する第２接地部と、
長手方向他端部に設けられ、着脱可能な締結具によって前記２本の第１支柱部材に対し回動可能に軸支される軸支部と、を備え、
前記複数本の第２架け渡し部材は、
前記２本の第２支柱部材のうち前記第２接地部と前記軸支部との間において架け渡された第２荷重受け部を含み、
前記２本の第３支柱部材は、
前記軸支部を回動中心として前記第１部品と前記第２部品とが所定角度だけ開かれかつ前記２本の第３支柱部材の一方側端部及びその近傍が前記第１荷重受け部及び第２荷重受け部の上部に載置された立ち上がり状態において、長手方向一端部に位置する突出部と、
前記立ち上がり状態において長手方向他端部近傍に位置し前記第２荷重受け部の上部に接する他端接触部と、
前記立ち上がり状態において前記突出部と前記他端接触部との間に位置し前記第１荷重受け部の上部に接する中間接触部と、
を備え、
前記複数本の第３架け渡し部材は、
利用者が着座する着座面を構成する複数の水平部を含む、
ことを特徴とする組立型椅子。
【請求項２】
請求項１記載の組立型椅子において、
前記第１部品の前記複数本の第１架け渡し部材は、
前記２本の第１支柱部材のうち前記第１荷重受け部よりも前記長手方向他端部側において架け渡された第３荷重受け部を含み、
前記２本の第３支柱部材は、
前記軸支部を回動中心として前記第１部品と前記第２部品とが所定角度だけ開かれかつ前記２本の第３支柱部材の一方側端部及びその近傍が前記第１荷重受け部及び第２荷重受け部と前記第３荷重受け部との間に差し込まれた前記立ち上がり状態において、長手方向一端部に位置する前記突出部と、
前記立ち上がり状態において長手方向他端部近傍に位置し前記第２荷重受け部の上部に接する前記他端接触部と、
前記立ち上がり状態において前記突出部と前記他端接触部との間に位置し前記第１荷重受け部の上部に接する前記中間接触部と、
前記立ち上がり状態において前記他端接触部よりも前記長手方向一端部側に位置し前記第３荷重受け部の下部に接する下部接触部と、
を有することを特徴とする組立型椅子。
【請求項３】
請求項２記載の組立型椅子において、
前記第３荷重受け部は、
前記２本の第１支柱部材の長手方向に直交しかつ前記第１架け渡し部材の延設方向に直交する直交方向に沿って当該２本の第１支柱部材の一方側に設けられ、
前記第１荷重受け部は、
前記直交方向に沿って当該２本の第１支柱部材の他方側に設けられる
ことを特徴とする組立型椅子。
【考案の詳細な説明】
【技術分野】
【０００１】
本考案は、組立型椅子に関する。
【背景技術】
【０００２】
従来、折りたたみできる長椅子が知られている（例えば、特許文献１参照）。この従来技術の折りたたみ型長椅子は、木材を素材としており、特許文献１の図１〜８および段落［００１９］〜［００２０］に記載されるように、座板２が背枠体３の基軸棒４にバネ丁番１４で取り付けられている。
【先行技術文献】
【特許文献】
【０００３】
【特許文献１】実用新案登録第３１６００１５号公報
【考案の概要】
【考案が解決しようとする課題】
【０００４】
上記従来技術の折りたたみ型長椅子は、座版などの部材をバネ丁番や軸ボルトなどで連結する構造となっている。この折りたたみ型長椅子は各部材ごとに分解することはできないので、持ち運ぶ際や、収納する際などにその重さや大きさに不都合が生じる場合があった。
【０００５】
本考案の目的は、別々に分解可能な複数の部品から組み立てられ、バッグ等に収納し携行できると共に車に積み込んで簡単に持ち運びでき、アウトドアでもインドアでも使用することができる組立型椅子を提供することにある。
【課題を解決するための手段】
【０００６】
上記目的を達成するために、本願考案は、互いに平行に配置された２本の第１支柱部材及びそれら２本の第１支柱部材の間に架け渡すように配置された複数本の第１架け渡し部材を備えた第１部品と、互いに平行に配置された２本の第２支柱部材及びそれら２本の第２支柱部材の間に架け渡すように配置された複数本の第２架け渡し部材を備えた第２部品と、互いに平行に配置された２本の第３支柱部材及びそれら２本の第３支柱部材の間に架け渡すように配置された複数本の第３架け渡し部材を備えた第３部品とを有し、前記２本の第１支柱部材は長手方向一端部に位置し設置面に接する第１接地部を備え、前記複数本の第１架け渡し部材は前記２本の第１支柱部材の長手方向他端部近傍に架け渡された背もたれ部と、前記２本の第１支柱部材の長手方向中間部に架け渡された第１荷重受け部とを含み、前記２本の第２支柱部材は長手方向一端部に位置し前記設置面に接する第２接地部と、長手方向他端部に設けられ着脱可能な締結具によって前記２本の第１支柱部材に対し回動可能に軸支される軸支部とを備え、前記複数本の第２架け渡し部材は前記２本の第２支柱部材のうち前記第２接地部と前記軸支部との間において架け渡された第２荷重受け部を含み、前記２本の第３支柱部材は前記軸支部を回動中心として前記第１部品と前記第２部品とが所定角度だけ開かれかつ前記２本の第３支柱部材の一方側端部及びその近傍が前記第１荷重受け部及び第２荷重受け部の上部に載置された立ち上がり状態において、長手方向一端部に位置する突出部と、前記立ち上がり状態において長手方向他端部近傍に位置し前記第２荷重受け部の上部に接する他端接触部と、前記立ち上がり状態において前記突出部と前記他端接触部との間に位置し前記第１荷重受け部の上部に接する中間接触部と、を備え、前記複数本の第３架け渡し部材は、利用者が着座する着座面を構成する複数の水平部を含むことを特徴とする組立型椅子であることを特徴としている。
【０００７】
本願考案の組立型椅子は、第１部品、第２部品、第３部品の３部品に分解可能な組み立て式なので、収納や持ち運びの際に便利である。特に、各部品が、２本の支柱部材とそれらの間に掛け渡す架け渡し部材によって構成されるので、分解したときに各部品が扁平な平面状となり、それらを３つ重ねて置いたとしても場所を取らない。したがってバッグ等に収納し携行できると共に車にも簡単に積み込むことができ、アウトドアでもインドアでも使用することができる。
【考案の効果】
【０００８】
本考案に係る組立型椅子は、別々に分解可能な複数の部品から組み立てられ、バッグ等に収納し携行できると共に車に積み込んで簡単に持ち運びでき、アウトドアでもインドアでも使用することができる。
【図面の簡単な説明】
【０００９】
【図１】本考案の一実施形態に係る組立型椅子を左前方から見た斜視図である。
【図２】図１に示した組立型椅子を後方から見た斜視図である。
【図３】図１に示した組立型椅子を左方から見た側面図である。
【図４】図３に示した第１部品の正面図及び側面図である。
【図５】図３に示した第２部品の正面図及び側面図である。
【図６】図３に示した第３部品の正面図及び側面図である。
【図７】図３に示した組立型椅子の組立手順のフローチャートである。
【図８】図３に示した組立型椅子の重ね時の正面図及び側面図である。
【考案を実施するための形態】
【００１０】
以下、本考案の一実施形態を図面を参照して説明する。
【００１１】
図１に、本考案の一実施形態に係る組立型椅子１を左前方から見た斜視図を示す。組立型椅子１は立ち上がり状態で設置面に設置されている。
【００１２】
組立型椅子１は、互いに平行に配置された２本の第１支柱部材２及びそれら２本の第１支柱部材２の間に架け渡すように配置された５本の第１架け渡し部材３を備えた第１部品４を有する。また、組立椅子１は、互いに平行に配置された２本の第２支柱部材５及びそれら２本の第２支柱部材５の間に架け渡すように配置された２本の第２架け渡し部材６を備えた第２部品７を有する。さらに、組立椅子１は、互いに平行に配置された２本の第３支柱部材８、及び、それら２本の第３支柱部材の間に架け渡すように配置された４本の第３架け渡し部材９を備えた第３部品１０を有する。
【００１３】
第１部品４に備えられた前記２本の第１支柱部材２は、長手方向一端部に位置し設置面（特に図示せず）に接する第１接地部１１を備え、５本の第１架け渡し部材３は、２本の第１支柱部材２の長手方向他端部近傍に架け渡された背もたれ部１２と、２本の第１支柱部材２の長手方向中間部に架け渡された第１荷重受け部１３とを含む。
【００１４】
第２部品７に備えられた前記２本の第２支柱部材５は、長手方向一端部に位置し前記設置面に接する第２接地部１４と、長手方向他端部に設けられ、着脱可能な締結具１５によって前記２本の第１支柱部材２に対し回動可能に軸支される軸支部１６とを備える。２本の第２架け渡し部材６は、第２接地部１４と軸支部１６との間において架け渡された第２荷重受け部１７を含む。
【００１５】
第３部品１０に備えられた前記２本の第３支柱部材８は、軸支部１６を回動中心として第１部品４と第２部品７とが所定角度だけ開かれかつ２本の第３支柱部材８の一方側端部及びその近傍が第１荷重受け部１３及び第２荷重受け部１７の上部に載置された立ち上がり状態において、長手方向一端部に位置する突出部１８と、前記立ち上がり状態において長手方向他端部近傍に位置し第２荷重受け部１７の上部に接する他端接触部１９と、前記立ち上がり状態において突出部１８と他端接触部１９との間に位置し第１荷重受け部１３の上部に接する中間接触部２０とを備え、４本の第３架け渡し部材９は、利用者が着座する着座面を構成する４つの水平部２１を含む。なお、この図では簡略化のために１本の第３架け渡し部材９にのみ水平部２１を図示しているが、４本の第３架け渡し部材９全てが同様の水平部２１を含む。
【００１６】
第１部品４の５本の第１架け渡し部材３は、２本の第１支柱部材２のうち第１荷重受け部１３よりも前記長手方向他端部側において架け渡された第３荷重受け部２２を含み、２本の第３支柱部材８は、軸支部１６を回動中心として第１部品４と前記第２部品７とが所定角度だけ開かれかつ２本の第３支柱部材８の一方側端部及びその近傍が第１荷重受け部１３及び第２荷重受け部１７と第３荷重受け部２２との間に差し込まれた前記立ち上がり状態において、長手方向一端部に位置する突出部１８と、前記立ち上がり状態において長手方向他端部近傍に位置し第２荷重受け部の上部に接する他端接触部１９と、前記立ち上がり状態において突出部１８と他端接触部１９との間に位置し第１荷重受け部１３の上部に接する中間接触部２０と、前記立ち上がり状態において他端接触部１９よりも前記長手方向一端部側に位置し第３荷重受け部２２の下部に接する下部接触部２３とを有する。
【００１７】
図１に示した各方角は接地面を下方向、その反対方向を上方向とし、組立型椅子の突出部１８に向かう方向を前方向、背もたれ部１２に向かう方向を後方向とし、組立型椅子１の前方向正面から見たとき右となる方向を右方向、左となる方向を左方向としている。上下方向、前後方向、左右方向は互いに直交する方向である。同様の方向が図１〜６，および図８にも適宜適応される。
【００１８】
図１の組立型椅子１は、第１部品４に布２４をさらに備える。布２４は、背もたれ部１２を覆うように２本の第１支柱部材２の間に架け渡されて配置され、木ネジ等で固定されている。本実施形態では布２４として帆布を用いているが、これに限定されず所望の材質を用いることができる。
【００１９】
本実施形態において前記第１部品４，第２部品７，第３部品１０を構成する各部材は木材により構成されている。各部品への各架け渡し部材は木ネジ等のネジで取り付けられている。あるいは各支柱部材に架け渡し部材をはめこんでもよい。これらの取り付け方法は特に限定されるものではなく公知の方法を用いることができる。軸支部１６は、着脱可能な締結具１５を貫通させるための貫通孔である。
【００２０】
図２に、図１に示した組立型椅子１を後方から見た斜視図を示す。第１部品４の第１支柱部材２に対して、第２部品７の第２支柱部材５は、軸支部１６を介して着脱可能な締結具１５により回動可能に軸支されている。すなわち、この図では第１支柱部材２と第２支柱部材５とが外側のボルトと内側の蝶ナットとにより軸支部１６を介して締結され、回動可能となっている。組立型椅子１の後方に向けて差し込まれた第３部品１０の第３支柱８は、下方向から第１荷重受け部１３及び第２荷重受け部１７により支持され、上方向から第３荷重受け部２２により支持されている。
【００２１】
第３支柱部材８が第２荷重受け部１７の上部に接する部分が他端接触部１９であり、第１荷重受け部１３の上部に接する部分が中間接触部２０であり、第３荷重受け部２２の下部に接する部分が下部接触部２３である。
【００２２】
第１部品４の第１架け渡し部材３のうち最も下方向に配置されるものは組立型椅子１の耐久性を高めるなどの目的のため設置される。第２部品７の第２架け渡し部材６のうち最も下方向に配置されるものも同様である。
【００２３】
図３は、図１に示した組立型椅子１を左方向から見た側面図である。図３に示すように、第１部品４と第２部品７とは軸支部１６を介して図示されない締結具１５で連結される。接地面に対して平行に差し込まれた第３部品１０の第３支柱部材８は、下方向から第１部品４の第１荷重受け部１３と第２部品７の第２荷重受け部によって支持され、上方向から第１部品４の第３荷重受け部２２によって支持されている。
【００２４】
図３の拡大図に示すように、第３支柱部材８は、第２荷重受け部１７の上部に接する他端接触部１９と、第１荷重受け部１３の上部に接する中間接触部２０と、第３荷重受け部２２の下部に接する下部接触部２３とを有する。この図では、各接触部は図の左右方向に延びる直線状に配置される領域となるが、各接触部の接触面積を増やすために、第１荷重受け部１３及び第３荷重受け部２２の端部や端面の形状に角度や丸みをもたせたり、第２荷重受け部１７の円柱状の形状に平面を持たせたりしてもかまわない。
【００２５】
次に、各部品ごとの詳細について説明する。図４に、図３に示した組立椅子１の第１部品４の正面図及び側面図を示す。図４（ａ）の正面図において、第１部品４は２本の平行な第１支柱部材２と、その間に架け渡された５本の第１架け渡し部材３を備えている。そのうち、背もたれ部１２に２本の第１架け渡し部材３が配置されている。また、２本の第１支柱部材２の長手方向中間部に配置された第１架け渡し部材３は、第１荷重受け部１３である。また、第１荷重受け部１３よりも前記長手方向の背もたれ部１２に近い側において配置された第１架け渡し部材３は、第３荷重受け部２２である。
【００２６】
本実施形態の組立型椅子１において、前記第３荷重受け部２２は、前記２本の第１支柱部材２の長手方向に直交しかつ前記第１架け渡し部材３の延設方向に直交する直交方向に沿って当該２本の第１支柱部材２の一方側に設けられ、前記第１荷重受け部１３は、前記直交方向に沿って当該２本の第１支柱部材２の他方側に設けられている。
【００２７】
すなわち、図４（ｂ）の側面図において、第３荷重受け部２２としての第１架け渡し部材３は、第１支柱部材２の長手方向（前後方向）に直交しかつ第１架け渡し部材３の延設方向（左右方向）に直交する上下方向の下方向の側に設けられている。また、第１荷重受け部１３は、前記上下方向の上方側に設けられている。すなわち、第１荷重受け部１３と第３荷重受け部２２とは、互いに第１支柱部材２の異なる側の面に取り付けられている。
【００２８】
この図では、第３荷重受け部２２以外の第１架け渡し部材３は４本とも全て第１支柱部材２の上方側に設けられているが、第１荷重受け部１３以外の第１架け渡し部材３、例えば、背もたれ部分１２の第１架け渡し部材３を第１支柱部材２の下方側に設けてもよい。
【００２９】
この図では、背もたれ部１２に２本の第１架け渡し部材３を配置しているが、背もたれ部１２に配置する第１架け渡し部材３の本数が一本であってもよく、２本より多くてもよい。
【００３０】
また、図４に示されるように、第２支柱部材５と同様に、第１支柱部材２にも、締結具１５を通すための通し穴である軸支部１６が空けられている。
【００３１】
図５に、図３に示した組立型椅子１の第２部品７の正面図及び側面図を示す。
図５（ａ）の正面図及び図５（ｂ）の側面図において、第２部品７は２本の平行な第２支柱部材５と、その間に架け渡された２本の第２架け渡し部材６を備えている。２本の第２支柱部材５のうち、長手方向（前後方向）の後端部に位置し設置面に接する第２接地部１４と軸支部１６との間において架け渡された第２架け渡し部材６は、第２荷重受け部１７である。この図では、第２荷重受け部１７の形状は円柱状で、第２支柱部材５の中にはめこまれた構造となっている。しかし、第２荷重受け部１７の形状は特にこれに限定されるものではない。
【００３２】
図６に、図３に示した組立型椅子１の第３部品１０の正面図及び側面図を示す。図６（ａ）の正面図及び図６（ｂ）の側面図において、第３部品１０は２本の平行な第３支柱部材８の間に４本の第３架け渡し部材９が配置されている。第３架け渡し部材９の上方向の面には着座面として機能する水平部２１が含まれる。第３部品１０の突出部１８は、着座面の先端部分に配置される。
【００３３】
図７に、図３に示した組立型椅子１の組立手順のフローチャートを示す。組立手順は工程（Ａ）〜工程（Ｆ）を含む。以下に各工程について説明する。
【００３４】
まず、工程（Ａ）において、第１部品４と第２部品７との軸支部１６の位置を合わせ、外側からボルト等の締結具１５（図示なし）を通す。
【００３５】
次に、工程（Ｂ）において、内側から蝶ナットなどの締結具１５（図示なし）により仮締めを行う。この時点では第１部品４と第２部品７との角度は決定されていない。
【００３６】
次に、工程（Ｃ）において、仮締めした第１部品４と第２部品７とを接地面に立てて置き、第３部品１０を差し込む。
【００３７】
工程（Ｄ）は第３部品１０が差し込まれた状態である。
【００３８】
次に工程（Ｅ）において、第１部品４と第２部品７との角度を目いっぱい開く。そうすると第３部品１０の第３支柱部材８が、第１荷重受け部１３と、第２荷重受け部１７と、第３荷重受け部２２との間に挟まれる形となり、第１部品４と第２部品７と第３部品１０とが互いにしっかりと固定される。これにより第１部品４と第２部品７との角度と、第３部品１０の高さ方向の位置とが決定する。
【００３９】
最後に工程（Ｆ）において、工程（Ｂ）にて仮締めしていた蝶ナットなどの締結具１５を固く締める。これにより第１部品４，第２部品７，第３部品１０の横ずれが防止される。
【００４０】
上述した組立型椅子１の組立においては、締結具１５として例えば蝶ボルトや蝶ネジ、蝶ナットなどを必要に応じて用いることができる。これらの締結具１５により組立型１椅子１を組立、または分解する際には、特別な工具などは必要なく手でネジを締めるだけですむ。
【００４１】
図８に、図３に示した組立型椅子１の重ね時の正面図及び側面図を示す。図８は、組立型椅子１を第１部品４、第２部品７，第３部品１０に分解し、接地面に重ねて置いている状態を表す。図８（ａ）において、これらを重ねて置いた時、第２部品７の第２支柱部材５の間に、第１部品４の第１支柱部材２がちょうどはまり、さらに第１部品４の第１支柱部材２の間に第３部品１０の第３支柱部材８がちょうどはまるような寸法になっている。
【００４２】
この実施形態では、２本の第２支柱部材５同士の内方寸法Ｌと、２本の第１支柱部材２同士の外方寸法Ｌとが例えば約３５０ｍｍとなり互いにちょうどはまるように設計されている。また、２本の第１支柱部材２同士の内方寸法Ｌ′と、２本の第３支柱部材８同士の外方寸法Ｌ′とが例えば約２８０ｍｍとなり互いにちょうどはまるように設計されている。このようにすることで、図８（ｂ）に示されるように、それぞれの部品を重ねた時に上下方向にも左右方向にも各部品同士がはまりあうようにでき、省スペースに収納できるようになっている。
【００４３】
＜実施形態の効果＞
本実施形態の組立型椅子１は、第１部品４、第２部品７、第３部品１０の３部品に容易に分解可能な組み立て式の椅子である。そのため、力が強くない利用者でも一人で容易に持ち運ぶことができ、収納するのにも便利である。特に、第１部品４、第２部品７，第３部品１０が、２本の第１支柱部材２、第２支柱部材５，第３支柱部材８と、それらの間に掛け渡す第１架け渡し部材３、第２架け渡し部材６，第３架け渡し部材９によって構成されるので、分解したときに各部品が扁平な平面状となり、それらを３つ重ねて置いたとしても場所を取らない。したがってバッグ等に収納し携行できると共に車にも簡単に積み込むことができ、アウトドアでもインドアでも使用することができる。
【００４４】
また、組立型椅子１の組立時に、第１部品４と第２部品７とを仮締めしたところに第３部品１０を差し込むだけで、２本の第３支柱部材８が第１荷重受け部１３，第２荷重受け部１７，第３荷重受け部２２の３点により支持されて第１部品４と第２部品７との角度、つまり椅子としての姿勢が決まる。すなわち、第３部品１０は、利用者が着座する面を持つ着座機能だけではなく、差し込むことで椅子の角度や高さを決定する角度決定機能及び角度保持機能を持っている。このような構造によれば、組立型椅子１の安定性が向上し、また、締結具１５の締結力のみで椅子の姿勢を保持しているわけでないため、締結具１５を必要以上に強く締める必要はない。そのため、組立や分解に工具も必要なく、取り扱いが簡便である。
【００４５】
なお、組立型椅子１は第３部品１０を第１荷重受け部１３，第２荷重受け部１７の２点のみで支持することによっても、椅子としての角度を決定、保持することができるが、第３荷重受け部２２を加えた３点で支持した場合は、椅子としての安定性がさらに向上するものとなる。
【００４６】
また、第１部品４に備えられた第３荷重受け部２２が２本の第１支柱部材２の長手方向に直交しかつ第１架け渡し部材３の延設方向に直交する直交方向に沿って２本の第１支柱部材２の一方側に設けられ、第１荷重受け部１３が前記直交方向に沿って２本の第１支柱部材２の他方側に設けられることによって、第３支柱部材８を第１荷重受け部１３，第２荷重受け部１７、第３荷重受け部２２の３点で支持する時の、第１荷重受け部１３と第３荷重受け部２２との間の距離を離すことができるので、より堅固かつ安定的に椅子の姿勢を保持することができる。
【００４７】
＜変形例＞
なお、本考案は、上記実施形態に限られるものではなく、その趣旨及び技術的思想を逸脱しない範囲内で種々の変形が可能である。以下、そのような変形例について説明する。
【００４８】
（１）背もたれ部１２に布２４がない場合
図１および図４では、背もたれ部１２に配置される２本の第１架け渡し部材３を覆うように、布２４が張り渡されているが、布２４がなくてもよい。その場合は、背もたれ部１２は、２本の第１支柱部材２に架け渡された第１架け渡し部材３のみで構成される。
【００４９】
＜変形例の効果＞
本変形例においても、上記実施形態と同様の効果を得る。また、組立型椅子１の外観の変更が可能である。
【００５０】
（２）その他
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００５１】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００５２】
また、以上既に述べた以外にも、上記実施形態や各変形例による手法を適宜組み合わせて利用しても良い。
【００５３】
その他、一々例示はしないが、本考案は、その趣旨を逸脱しない範囲内において、種々の変更が加えられて実施されるものである。
【符号の説明】
【００５４】
１                組立型椅子
２                第１支柱部材
３                第１架け渡し部材
４                第１部品
５                第２支柱部材
６                第２架け渡し部材
７                第２部品
８                第３支柱部材
９                第３架け渡し部材
１０              第３部品
１１              第１接地部
１２              背もたれ部
１３              第１荷重受け部
１４              第２接地部
１５              締結具
１６              軸支部
１７              第２荷重受け部
１８              突出部
１９              他端接触部
２０              中間接触部
２１              水平部
２２              第３荷重受け部
２３              下部接触部
２４              布
【図１】
0003232389.tif 000003
【図２】
0003232389.tif 000004
【図３】
0003232389.tif 000005
【図４】
0003232389.tif 000006
【図５】
0003232389.tif 000007
【図６】
0003232389.tif 000008
【図７】
0003232389.tif 000009
【図８】
0003232389.tif 000010